(57)【要約】【課題】カットアウト内のヒューズを撮影できる。【解決手段】電力線と柱上変圧器との間に接続されるヒューズと、前記ヒューズが収容され、前記ヒューズの一部を斜め下方向から確認するための開口を有する絶縁ケースと、前記開口の上側を中心として前記開口を開閉する蓋と、を備え、前記柱上変圧器の近くに設置されるカットアウトのヒューズ撮影装置であって、前記開口を通して前記ヒューズを撮影するカメラと、前記カメラを支持する支持台と、前記支持台を支持する支持棒と、前記カメラが前記開口と対向するように、前記開口と前記蓋との間に挿入されて前記蓋を開状態とする挿入片と、を備える。【選択図】  図５
2013176270.tif 000002
【特許請求の範囲】
【請求項１】
電力線と柱上変圧器との間に接続されるヒューズと、前記ヒューズが収容され、前記ヒューズの一部を斜め下方向から確認するための開口を有する絶縁ケースと、前記開口の上側を中心として前記開口を開閉する蓋と、を備え、前記柱上変圧器の近くに設置されるカットアウトのヒューズ撮影装置であって、
前記開口を通して前記ヒューズを撮影するカメラと、
前記カメラを支持する支持台と、
前記支持台を支持する支持棒と、
前記カメラが前記開口と対向するように、前記開口と前記蓋との間に挿入されて前記蓋を開状態とする挿入片と、
を備えたことを特徴とするヒューズ撮影装置。
【請求項２】
前記挿入片は、前記支持台に対して立設され、
前記挿入片の幅は、前記支持台から離れるにつれて短くなる
ことを特徴とする請求項１に記載のヒューズ撮影装置。
【請求項３】
前記挿入片は、前記支持台に対して立設され、
前記挿入片の厚みは、前記支持台から離れるにつれてうすくなる
ことを特徴とする請求項１に記載のヒューズ撮影装置。
【請求項４】
前記支持台に対して立設され、前記蓋が前記挿入片によって開状態となっているとき、前記カメラが前記開口と対向するように、前記支持台の移動を規制する規制片、を備える
ことを特徴とする請求項１乃至３の何れかに記載のヒューズ撮影装置。
【発明の詳細な説明】
【技術分野】
【０００１】
本発明は、ヒューズ撮影装置に関する。
【背景技術】
【０００２】
例えば、特許文献１において、負荷の変動に起因して、柱上変圧器に対して過電流が供給されるのを防止するためのカットアウトが開示されている。
【先行技術文献】
【特許文献】
【０００３】
【特許文献１】特開２００６−１１４２３１号公報
【発明の概要】
【発明が解決しようとする課題】
【０００４】
特許文献１のカットアウト内には、電力線と柱上変圧器との間に接続されるヒューズが収容されている。カットアウトには、カットアウトの斜め下方向からヒューズの一部を確認するための開口が設けられる。また、開口から降雨等が入り込んでヒューズが腐食するのを防止するために、開口の上側を中心として開口を開閉する蓋がカットアウトに設けられている。ヒューズの腐食による劣化を確認する場合、カットアウトの外部から開口内のヒューズを確認する必要がある。カットアウトは、高さが比較的高い位置にある柱上変圧器の近くに設置されていること，および高圧充電中のため、ヒューズの劣化を確認する作業員により、手作業で蓋を開けるのが困難である。よって、カットアウトの外部から開口内のヒューズを確認できずに、ヒューズの劣化を確認できない虞がある。
【課題を解決するための手段】
【０００５】
前述した課題を解決する主たる本発明は、電力線と柱上変圧器との間に接続されるヒューズと、前記ヒューズが収容され、前記ヒューズの一部を斜め下方向から確認するための開口を有する絶縁ケースと、前記開口の上側を中心として前記開口を開閉する蓋と、を備え、前記柱上変圧器の近くに設置されるカットアウトのヒューズ撮影装置であって、前記開口を通して前記ヒューズを撮影するカメラと、前記カメラを支持する支持台と、前記支持台を支持する支持棒と、前記カメラが前記開口と対向するように、前記開口と前記蓋との間に挿入されて前記蓋を開状態とする挿入片と、を備えたことを特徴とするヒューズ撮影装置である。
【０００６】
本発明の他の特徴については、添付図面及び本明細書の記載により明らかとなる。
【発明の効果】
【０００７】
本発明によれば、カットアウト内のヒューズを撮影できる。
【図面の簡単な説明】
【０００８】
【図１】本発明の実施形態が適用されるカットアウトの接続を示す図である。
【図２】本発明の実施形態が適用されるカットアウトを示す図である。
【図３】本発明の実施形態が適用されるカットアウトを示す正面図である。
【図４】本発明の実施形態が適用されるヒューズ筒を示す図である。
【図５】本発明の実施形態におけるヒューズ撮影装置を示す斜視図である。
【図６】本発明の実施形態におけるヒューズ撮影装置を示す正面図である。
【図７】本発明の実施形態におけるヒューズ撮影装置とカットアウトとを示す図である。
【図８】本発明の実施形態におけるヒューズを撮影する際の、ヒューズ撮影装置とカットアウトとを示す図である。
【図９】本発明の実施形態における撮影装置を示す図である。
【発明を実施するための形態】
【０００９】
本明細書および添付図面の記載により、少なくとも以下の事項が明らかとなる。
【００１０】
＝＝＝カットアウト＝＝＝
以下、図１乃至図４を参照して、本実施形態が適用されるカットアウトについて説明する。図１は、本実施形態が適用されるカットアウトの接続を示す図である。図２は、本実施形態が適用されるカットアウトを示す図である。尚、収容体２の一部、ヒューズ筒３は見えない状態となっているが、説明の便宜上、点線で示されている。図３は、図２をＤ２方向へ向かって見た、本実施形態が適用されるカットアウトを示す正面図である。尚、説明の便宜上、蓋１５を透視した状態で、蓋１５は点線で示されている。図４は、本実施形態が適用されるヒューズ筒を示す図である。尚、本体３１の一部、ヒューズ３８の一部、摘み３９は見えない状態となっているが、説明の便宜上、点線で示されている。
【００１１】
＜カットアウト＞
カットアウト１００は、負荷４２の変動に起因して、柱上変圧器８の一次側に過電流が供給されるのを防止するための装置である。例えば、負荷４２の変動に起因して、柱上変圧器８の二次側から電線Ｌ３を介して負荷４２に比較的大きな電流が供給されることがある。その場合、柱上変圧器８の二次側から負荷４２に対して比較的大きな電流を供給するために、柱上変圧器８の一次側には、所定電流以上の電流が供給されることがある。当該柱上変圧器８の一次側に供給される所定電流以上の電流が、負荷４２の変動に起因して、柱上変圧器８の一次側に供給される過電流である。カットアウト１００は、架空線（不図示）と柱上変圧器８との間に電気的に接続される。尚、架空線（不図示）には、変電所（不図示）から電力が供給されているものとする。カットアウト１００は、例えば、柱上変圧器８と同等の高さをもって、柱上変圧器８の近傍に設置される。ここで、柱上変圧器８は、電柱４１の上部に設けられる。柱上変圧器８の一次側には、電線Ｌ２とカットアウト１００と電線Ｌ１と架空線を介して変電所からの電力が供給される。尚、架空線と電線Ｌ１が電力線に相当する。柱上変圧器８と負荷４２との間には、電線Ｌ３が接続される。カットアウト１００は、本体１、収容体２、蓋１５を有する。尚、本体１と収容体２とが絶縁ケースに相当する。蓋１５については後述する。
【００１２】
本体１は、一方側の側面１９側が開放されている箱型形状を呈する、例えば磁器製の筐体である。側面１９には、開口１８Ｃが形成されている。本体１は、本体１の側面１９が斜め下方向（Ｄ１方向）を向くように、取付金具１０によって、柱上変圧器８の近傍に設けられたアーム４に取り付けられる。本体１の上面１１に対して、螺子１１１を用いて取付金具１０が螺着される。本体１の上面１１に螺着された取付金具１０は、アーム４に対して、螺子１１２を用いて螺着される。本体１には、電線接続部１２、１３が設けられている。電線接続部１２には、電線Ｌ１の一端が接続される。尚、電線Ｌ１の他端は、架空線と電気的に接続されているものとする。電線接続部１３には、電線Ｌ２の一端が接続される。尚、電線Ｌ２の他端は、柱上変圧器８の一次側と電気的に接続される。電線接続部１２、１３に接続された電線Ｌ１、Ｌ２夫々は、金属製のブレード３４、３３と電気的に接続された状態となる。尚、ブレード３４、３３については、後述する。
【００１３】
収容体２は、ヒューズ筒３をカットアウト１００内に収容するための、例えば、磁器製の筐体である。尚、ヒューズ筒３については、後述する。収容体２は、例えば、略矩形柱形状を呈し、内部にヒューズ筒３を収容できるような中空構造を有する。収容体２の一方の側面２９には、ヒューズ筒３のヘッド３２（図４）を収容体２の内部から外部へ突出させるための開口２Ａが設けられる。収容体２は、Ｙ軸に沿った回動軸２１を中心に、Ａ１、Ａ２方向に回動するように、本体１の凹部１８（図３）内に取り付けられる。尚、収容体２には、回動軸２１を中心に、収容体２をＡ１、Ａ２方向に回動させるための把手２２が設けられている。
【００１４】
例えば、ヒューズ筒３内のヒューズ３８を交換する場合、収容体２は、回動軸２１を中心にＡ２方向へ回動される。その際、電線Ｌ１、Ｌ２は電気的に遮断された状態となる。一方、例えば、電線Ｌ１、Ｌ２を電気的に接続する場合、収容体２は、回動軸２１を中心にＡ１方向へ回動される。尚、収容体２をＡ１方向へ回動させたとき、ブレード３４、３３が夫々、電線接続部１２に取り付けられた電線Ｌ１の他端、電線接続部１３に取り付けられた電線Ｌ２の他端と電気的に接続されるものとする。又、収容体２をＡ１方向へ回動させて、ブレード３４、３３が夫々電線Ｌ２、Ｌ３と電気的に接続された際、ブレード３４、３３が夫々電線接続部１２、１３挟まれて、自重による回動軸２１を中心とした収容体２のＡ２方向への回動が規制されることとなる。その際、側面２９は、側面１９と略平行となっているものとする。
【００１５】
＜ヒューズ筒＞
ヒューズ筒３（図４）は、収容体２内に収容される。ヒューズ筒３には、負荷４２の変動に起因して、柱上変圧器８の一次側に過電流が供給されるのを防止するためのヒューズ３８が配設される。ヒューズ筒３は、本体３１、ヘッド３２、ブレード３３、３４、留具３６、金属板３７、ヒューズ３８、摘み３９を有する。
【００１６】
本体３１は、内部にヒューズ３８が配設されるような、例えば、長尺状の円筒形状を呈する絶縁性の部材である。  
ブレード３４、３３は、本体３１に立設される長尺形状の金属製の部材である。
【００１７】
ヘッド３２は、本体３１の外径よりも大きな径の開口を有する円筒形状を呈する絶縁性の部材である。ヘッド３２は、ヘッド３２の開口に本体３１の一方側の端部が挿通された状態で、本体３１の一方側の端部に取り付けられる。ヘッド３２は、ヒューズ筒３における本体３１の長手方向に沿った方向の長さ（以下、「ヒューズ筒３の長さ」と称する）が伸縮するように、本体３１の一方側でＣ１方向又はＣ２方向に移動できるように、本体３１に取り付けられる。ヘッド３２は、例えばバネ（不図示）によってＣ１方向に付勢されているものとする。尚、ヒューズ筒３は、ヘッド３２先端（縁３２Ｂ側の端部）が収容体２の開口２Ａから斜め下方向に向かって露出するように、収容体２内に収容されているものとする。
【００１８】
ヒューズ３８は、負荷４２の変動に起因して、柱上変圧器８の一次側に過電流が供給されるのを防止するための、例えば導電線の束である。ヒューズ３８の一端は、金属製の留具３６によって、金属板３７に固定される。その際、ヒューズ３８の一端は、金属板３７を介してブレード３３と電気的に接続された状態となる。ヒューズ３８の他端は、ヘッド３２の開口を介して本体３１の内部に挿通され、本体３１内の金属製の摘み３９に固定される。尚、摘み３９は、ブレード３４と電気的に接続されているものとする。よって、ヒューズ３８の他端は、摘み３９を介してブレード３４と電気的に接続された状態となる。ヒューズ３８の長さは、ヒューズ３８をヒューズ筒３に取り付けた際に、ヘッド３２へのＣ１方向のバネ力に抗するＣ２方向の力が、ヘッド３２の縁３２Ｂ加えられるような長さに設定されている。つまり、ヒューズ３８の一部３８Ｂは、縁３２Ｂと当接し、Ｃ１方向のバネ力が加えられることとなる。ヒューズ３８に対して所定電流以上の過電流が供給された場合、ヒューズ３８は、当該過電流と、縁３２Ｂに加えられるＣ１方向のバネ力によって、焼損するように、例えば、ヒューズ３８の太さと、Ｃ１方向のバネ力は設定されているものとする。
【００１９】
例えば、負荷４２の変動に起因して、柱上変圧器８を介して柱上変圧器８の一次側に過電流が供給された場合、ヒューズ３８が焼損して、電線Ｌ１と電線Ｌ２との間の区間は電気的に遮断されることとなる。その場合、ヘッド３２がＣ１方向に移動して、当該ヘッド３２が収容体２の外部へ開口２Ａを通して突出することとなる。
【００２０】
＜蓋＞
蓋１５（図２）は、開口２Ａを通して収容体２から露出しているヒューズ３８が、風雨に曝されるのを防止するための、例えばゴム製の蓋である。蓋１５は、例えば、回動軸２１の手前側（−Ｙ）から奥側（＋Ｙ）側へ向かって見て、鍵形状となるように、屈曲しているものとする。蓋１５は、本体１における側面１９に設けられた開口１８Ｃを塞ぐような形状を呈する。蓋１５の回動軸２１に沿った方向の長さＨ３は、例えば、開口１８Ｃにおける回動軸２１に沿った方向の長さよりも長く、且つ、本体１の両側面１Ｂ、１Ｃの外側の面同士の距離Ｈ１よりも短くなるように設定されている。蓋１５は、開口２Ａと対向するように、本体１に取り付けられる。蓋１５は、回動軸２１と平行な回動軸１４を中心にＢ１、Ｂ２方向へ回動自在に本体１に取り付けられる。つまり、蓋１５は、開口２Ａの上側（＋Ｚ）の回動軸１４を中心として、開口２Ａを開閉できることとなる。蓋１５は、例えば、本体１に取り付けられた際に、回動軸１４を中心に自重で回動して、蓋１５における開口２Ａと対向する面と本体１の側面１９との間には、隙間１５Ｃができることとなる。
【００２１】
例えば、負荷４２の変動に起因して、柱上変圧器８を介して柱上変圧器８の一次側に過電流が供給されて、ヘッド３２が収容体２の外部へ開口２Ａを通して突出した場合、蓋１５は、回動軸１４を中心にＢ２方向に回動することとなる。又、例えば、回動軸１４を中心に蓋１５をＢ２方向に回動させた場合、ヒューズ３８の一部３８Ｂは、カットアウト１００の斜め下方向から開口２Ａを通して確認できることとなる。
【００２２】
＝＝＝ヒューズの劣化判定＝＝＝
以下、図３を参照して、本実施形態が適用されるヒューズの劣化判定について説明する。  
ヒューズ３８が例えば腐食等によって劣化している場合、ヒューズ３８に対して過電流が供給されていないにも関わらず、ヒューズ３８に加えられるＣ１方向のバネ力によって切断されて、電線Ｌ１と電線Ｌ２との間の区間が、電気的に遮断されてしまうことがある。よって、例えば、開口２Ａを通して収容体２から露出しているヒューズ３８の一部３８Ｂの劣化（例えば、腐食の程度）を、定期的に確認する必要がある。ヒューズ３８が劣化しているか否かは、例えば、ヒューズ３８の色、ヒューズ３８の形状等に基づいて判定される。
【００２３】
＝＝＝ヒューズ撮影装置＝＝＝
以下、図５乃至図８を参照して、本実施形態におけるヒューズ撮影装置について説明する。図５は、本実施形態におけるヒューズ撮影装置を示す斜視図である。図６は、本実施形態におけるヒューズ撮影装置を示す正面図である。図７は、本実施形態におけるヒューズ撮影装置とカットアウトとを示す図である。図８は、本実施形態におけるヒューズを撮影する際の、ヒューズ撮影装置とカットアウトとを示す図である。
【００２４】
ヒューズ撮影装置５は、開口２Ａを通して露出しているヒューズ３８の一部３８Ｂを撮影するための装置である。  
ヒューズ撮影装置５は、治具５０、支持棒５７、カメラ６を備えて構成される。
【００２５】
支持棒５７は、カメラ６によってヒューズ３８を撮影できるように、治具５０を支持するための、絶縁性の棒部材である。支持棒５７を略垂直方向（Ｚ軸）に沿わせたときの、支持棒５７の上側（＋Ｚ）の端部には、治具５０が着脱自在に取り付けられる。尚、治具５０については、後述する。支持棒５７の長さは、例えば、ヒューズ３８の劣化状況を確認する作業を行う作業員が、地上から支持棒５７を操作して、支持棒５７の上側の端部に設けられた治具５０を、カットアウト１００に固定できるような長さとする。尚、治具５０のカットアウト１００への固定については、後述する。支持棒５７は、例えば、カットアウト１００の操作に用いることもできる。カットアウト１００の操作とは、回動軸２１を中心に収容体２をＡ１、Ａ２方向へ回動させることをいう。例えば、支持棒５７の下端（不図示）には、把手２２の孔２２Ａに引っ掛けて、収容体２を操作するための操作部品（不図示）が取り付けられているものとする。
【００２６】
治具５０は、挿入片５１、規制片５２、５３、傾斜板５４（支持台）、台５５、取付部材５６を有する。治具５０は、例えば、規制片５２、５３と直交する方向（Ｙ軸）における規制片５２、５３の略中央を通るＸＺ平面を中心に、対称な形状を呈する。尚、例えば、治具５０は、樹脂製としてもよい。
【００２７】
台５５は、規制片５２、５３、傾斜板５４が設けられる基台である。台５５は、例えば、略矩形柱形状を呈する、絶縁性の部材である。台５５の下面には、支持棒５７の上側の端部を着脱自在に治具５０に取り付けるための、取付部材５６が設けられる。台５５の上面は、例えば、取付部材５６に支持棒５７が取り付けられた際に、支持棒５７の長手方向（Ｚ軸）に対して直交するように形成されているものとする。
【００２８】
取付部材５６は、例えば、略矩形柱形状を呈する絶縁性の部材である。取付部材５６の上面は、台５５の下面に例えば接着される。取付部材５６の下面には、支持棒５７の上側の端部をはめ込むための凹部（不図示）が形成されている。当該凹部の径は、例えば、支持棒５７の上側の端部を取付部材５６の凹部にはめ込んだ際に、治具５０が支持棒５７に対して固定されるように、支持棒５７の径よりも略大きいものとする。尚、例えば、取付部材５６を設けずに、台５５の下面に、支持棒５７の上側の端部をはめ込むための孔を設けて、ヒューズ撮影装置５の軽量化を図ってもよい。
【００２９】
規制片５２、５３は、カットアウト１００のヒューズ３８を撮影する際に、カットアウト１００に対して、治具５０を固定するための部材である。尚、カットアウト１００に対する治具５０の固定については、後述する。規制片５２は、例えば、絶縁性の略矩形平板である。規制片５２は、本体１の奥側（＋Ｙ）の側面１Ｃ（図３）と略平行（ＸＺ平面と略平行）となるように、台５５上に立設される。規制片５２の下側の縁は、台５５上における奥側の縁に対して、例えば接着される。規制片５３は、規制片５２と同様な形状を呈する絶縁性の略矩形平板である。規制片５３は、本体１の手前側（−Ｙ）の側面１Ｂ及び規制片５２と略平行となるように、台５５上に立設される。規制片５３の下側の縁は、台５５上における手前側の縁に対して、例えば接着される。規制片５２と規制片５３との間の距離Ｈ２が、本体１の両側面１Ｂ、１Ｃの外側の面同士の距離Ｈ１（図３）よりも長くなるように、規制片５２、５３は、台５５上に取り付けられるものとする。尚、ヒューズ撮影装置５を用いてヒューズ３８の一部３８Ｂを撮影する際に、規制片５２、５３によって本体１の側面１Ｂ、１Ｃを外側から挟んで、治具５０が規制片５２、５３に対して直交する方向に移動するのを規制するように、距離Ｈ２は設定されているものとする。ヒューズ３８の一部３８Ｂの撮影については、後述する。
【００３０】
傾斜板５４は、カメラ６を支持するための部材である。傾斜板５４は、例えば、絶縁性の略矩形平板である。傾斜板５４は、支持棒５７を略垂直とした際に、本体１の側面１９と略平行となるように、規制片５２、５３の間に取り付けられる。傾斜板５４は、一方側（＋Ｘ）から他方側（−Ｘ）に移動するにつれて、傾斜板５４の垂直方向の高さが高くなるように取り付けられる。尚、傾斜板５４は、規制片５２、５３の上面よりも低い位置に取り付けられるものとする。よって、規制片５２、５３は、傾斜板５４に対して立設された状態となる。傾斜板５４の奥側の縁は、規制片５２の手前側の面に、例えば接着される。傾斜板５４の手前側の縁は、規制片５３の奥側の面に、例えば接着される。尚、傾斜板５４は、例えば、支持棒５７を略垂直とした際に、本体１の側面１９と略平行となるような面を有する部材を規制片５２、５３の間に取り付けて形成してもよい。又、傾斜板５４は、例えば、規制片５２、５３と共に予め形成されている構成としてもよい。傾斜板５４上には、カメラ６が取り付けられる。尚、カメラ６の取り付けについては後述する。
【００３１】
挿入片５１は、開口２Ａと蓋１５との間に挿入されて、蓋を開状態とするための部材である。挿入片５１は、例えば、長尺状の略三角柱形状を呈する絶縁性の部材である。尚、略三角柱形状の挿入片５１の３本の側辺のうちの、２本の辺は略同様長さであり、当該２本の辺以外の１本の辺（以下、「短い辺」と称する）の長さは、略同様な長さの２本の辺の長さよりも短いものとする。挿入片５１は、規制片５２、５３の上面から上側に向かって突出するように形成される。挿入片５１は、挿入片５１の長手方向が規制片５２、５３に対して直行する方向に沿うように、規制片５２、５３の上面における他方側（−Ｘ）の端に形成される。例えば、挿入片５１は、３本の側辺のうちの短い辺以外の側辺を含む側面を、規制片５２、５３の上面に接着して形成される。挿入片５１は、傾斜板５４とは別体として形成されることとなる。挿入片５１の幅は、下側（−Ｚ）から上側（＋Ｚ）に向かうにつれて、短くなる。挿入片５１の幅とは、規制片５２、５３に対して直交する方向における、挿入片５１の長さである。挿入片５１の最大の幅Ｈ４（図６）は、蓋１５の回動軸２１に沿った方向の長さＨ３（図３）以下となるように設定されている。挿入片５１の幅は、傾斜板５４から離れるにつれて、短くなる。挿入片５１の厚みは、下側から上側に向かうにつれて、うすくなる。挿入片５１の厚みとは、規制片５２、５３に対して直交する方向及び支持棒５７の長手方向に対して直交するＸ軸方向における、挿入片５１の厚みである。つまり、挿入片５１の厚みは、傾斜板５４から離れるにつれて、うすくなる。挿入片５１は、傾斜板５４に対して立設された状態となる。又、例えば、支持棒５７を略垂直とした際に、本体１の側面１９と略平行となる面を有し、且つ先端が規制片５２、５３の上面よりも上側に突出する略三角柱形状の部材を台５５の上面に配置し、当該略三角柱形状の部材の先端を、挿入片５１としてもよい。その際、当該略三角柱形状の部材における、側面１９と略平行となる面が、傾斜板５４となる。つまり、挿入片５１と傾斜板５４とを一体的に形成してもよい。挿入片５１の規制片５２、５３の上面から突出する長さは、傾斜板５４が側面１９に当接するように、治具５０を下側から上側に向かって略垂直に移動させたときに、カメラ６が開口２Ａと対向する位置で治具５０が本体１に対して固定されるような長さとする。つまり、治具５０を下側から上側に向かって略垂直に移動させた際、挿入片５１の先端が蓋１５と開口２Ａとの間に入り込んで、蓋１５が開状態となる。治具５０の傾斜板５４と側面１９とが当接して、治具５０は上側へ案内される。その後、挿入片５１の先端が、蓋１５における屈曲している面（以下、「屈曲面」と称する）に下側から当接する。挿入片５１の先端が蓋１５の屈曲面に引っかかって、治具５０の上側への移動が規制されて、治具５０がカットアウト１００に対して固定される。
【００３２】
カメラ６は、収容体２の内部に配設されたヒューズ３８の一部３８Ｂを、開口２Ａを通して、撮影するための、例えば、小型のＣＣＤカメラである。カメラ６には、例えば、ＬＥＤライトが内蔵されているものとする。カメラ６は、カットアウト１００に対して治具５０を固定した際に、ヒューズ３８の一部３８Ｂを撮影できるように、傾斜板５４上に取り付けられる。カットアウト１００に対する治具５０の固定とは、支持棒５７を略垂直として、傾斜板５４が側面１９に当接するように、治具５０を下側から上側へ移動させた際に、挿入片５１の先端が蓋１５の屈曲面に引っかかって治具５０の上側への移動が規制されている状態をいう。その際、治具５０の上側への移動は、蓋１５によって規制され、治具５０の規制片５２、５３に対して直交する方向への移動は、規制片５２、５３によって規制されることとなる。尚、カメラ６は、カットアウト１００に対して治具５０が固定された際に、開口２Ａを通してヒューズ３８の一部３８Ｂを撮影できるように、傾斜板５４上に取り付けられているものとする。カメラ６が開口２Ａと対向する位置とは、カットアウト１００に対して治具５０が固定される位置である。尚、カメラ６には、例えば、ＬＥＤライトが内蔵されているので、治具５０が透光性を有するか否かを問わずに、ヒューズ３８の一部３８Ｂを確実に撮影できる。
【００３３】
＝＝＝撮影装置＝＝＝
以下、図９を参照して、本実施形態における撮影装置について説明する。図９は、本実施形態における撮影装置を示す図である。  
撮影装置７は、ヒューズ３８の劣化を判定する際に用いられる装置である。  
撮影装置７は、表示部７１、７２、撮影釦７３、登録釦７４、表示釦７５乃至７７を有する。
【００３４】
表示部７１、７２は、カメラ６で撮影されたヒューズ３８の一部３８Ｂの画像を表示するための、例えば液晶ディスプレイである。  
撮影釦７３は、カメラ６でヒューズ３８の一部３８Ｂを撮影する際に押下される。尚、撮影装置７は、カメラ６と、例えば有線や無線で通信可能となっているものとする。例えば、撮影釦７３を押下したとき、カメラ６によってヒューズ３８の一部３８Ｂの撮影が行われ、撮影画像が表示部７１に表示される。  
登録釦７４は、表示部７１に表示された撮影画像を、撮影装置７内のメモリ（不図示）に記憶する際に押下される。
【００３５】
表示釦７５乃至７７は、撮影装置７内のメモリに予め記憶されている、撮影画像を表示部７２に表示するための釦である。撮影装置７内のメモリには、例えば、ヒューズ３８の劣化の進行状況に応じた、ヒューズ３８の一部３８Ｂの撮影画像が記憶されているものとする。撮影装置７内のメモリには、例えば、劣化が進行していないときの撮影画像（以下、「劣化小の画像」と称する）、劣化が進行しているが使用上問題がないときの撮影画像（以下、「劣化中の画像」と称する）、劣化（ヒューズ３８の腐食）が進行し、焼損に至る可能性があるときの撮影画像（以下、「劣化大の画像」と称する）が記憶されているものとする。例えば、表示釦７５、７６、７７を夫々押下した場合、劣化小の画像、劣化中の画像、劣化大の画像が、表示部７２に表示されるものとする。
【００３６】
＝＝＝ヒューズの劣化判定＝＝＝
以下、図８、図９を参照して、本実施形態におけるヒューズの劣化判定について説明する。
【００３７】
作業員は、支持棒５７を手作業で略垂直とした状態で、治具５０の挿入片５１をカットアウト１００の下側から蓋１５と開口２Ａとの間に挿入する。挿入片５１の先端が蓋１５と開口２Ａとの間に入り込んで、蓋１５が開状態となる。治具５０の傾斜板５４と側面１９とが当接して、治具５０は上側へ案内される。このとき、カットアウト１００は外側から規制片５２、５３によって挟まれた状態となる。つまり、例えば、作業員の持ち手のぶれによって、治具５０が規制片５２、５３に対して直交する方向にぶれるのを規制することができる。よって、カメラ６が開口２Ａと対向するように、治具５０を下側から上側へ確実に移動させられることとなる。その後、挿入片５１の先端が、蓋１５における屈曲面に下側から当接する。挿入片５１の先端が蓋１５の屈曲面に引っかかって、治具５０の上側への移動が規制されて、治具５０がカットアウト１００に対して固定される。ここで、挿入片５１の幅は、蓋１５の回動軸２１に沿った方向の長さＨ３（図３）以下となっている。よって、治具５０を下側から上側へ移動させて、挿入片５１によって蓋１５を開状態とした場合、カメラ６を開口２Ａと確実に対向させることができる。つまり、挿入片５１の幅が、蓋１５の回動軸２１に沿った方向の長さＨ３以下となっていることによって、支持棒５７に支持された治具５０の開口２Ａに対する位置決めが容易となる。カメラ６は、開口２Ａと対向して、開口２Ａを通してヒューズ３８の一部３８Ｂを撮影できる状態となる。尚、カメラ６が開口２Ａと対向しているとき、カメラ６はヒューズ３８と接触しない状態となっているものとする。撮影装置７の撮影釦７３が押下された場合、カメラ６によるヒューズ３８の一部３８Ｂの撮影が行われ、撮影画像が表示部７１に表示される。例えば、表示釦７５乃至７７を順次押下して、劣化小の画像、劣化中の画像、劣化大の画像を表示部７２に順次表示して、ヒューズ３８の劣化状況の判定を行う。例えば、表示部７１、７２に表示された撮影画像は、相互に関連付けられた状態で撮影装置７のメモリに記憶されるものとする。尚、撮影装置７のメモリに記憶された表示部７１、７２に表示された撮影画像を示す画像データは、パーソナルコンピュータ等で確認できる画像形式で保存されるものとする。
【００３８】
前述したように、カットアウト１００は、ヒューズ３８、本体１、収容体２、蓋１５を有する。カットアウト１００は、柱上変圧器８と同等の高さをもって設置される。カメラ６は、開口２Ａを通してヒューズ３８の一部３８Ｂを撮影する。傾斜板５４は、カメラ６を支持する。支持棒５７は、傾斜板５４を支持する。挿入片５１は、開口２Ａと蓋１５との間に挿入されて、蓋１５を開状態とする。その際、カメラ６は、開口２Ａと対向する。よって、カメラ６を用いて、開口２Ａからヒューズ３８の一部３８Ｂを撮影して、ヒューズ３８の劣化の判定を行うことができる。比較的高所に設置されているカットアウト１００の蓋１５を、挿入片５１によって開状態とできるために、ヒューズ３８の一部３８Ｂを確実に撮影できる。よって、例えば、ヒューズ３８の劣化を確認する作業を迅速に行えるので、当該作業の効率化を図ることができる。
【００３９】
又、挿入片５１は、傾斜板５４に対して立設される。挿入片５１の幅は、傾斜板５４から離れるにつれて短くなる。挿入片５１の厚みは、傾斜板５４から離れるにつれてうすくなる。つまり、挿入片５１は、傾斜板５４から離れる方向に向かって、先端が細くなるように突出している。よって、例えば、蓋１５と側面１９との間に隙間がないときも、挿入片５１の先端を、容易に、蓋１５と側面１９との間に挿入することができる。蓋１５と側面１９との間に隙間ができているか否かに関わらず、迅速に蓋１５を開状態とできる。従って、使い勝手のよいヒューズ撮影装置５を提供できる。
【００４０】
又、蓋１５が挿入片５１によって開状態となっているとき、規制片５２、５３は、カメラ６が開口２Ａと対向するように、傾斜板５４のＹ軸方向の移動を規制する。よって、カットアウト１００に対して、治具５０を確実に固定して、ヒューズ３８の一部３８Ｂを確実に撮影することができる。従って、ヒューズ撮影装置５の使い勝手を更に向上させることができる。
【００４１】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４２】
１、３１                本体
１Ｂ、１Ｃ、１９、２９  側面
２                      収容体
２Ａ、１８Ｃ            開口
３                      ヒューズ筒
４                      アーム
５                      ヒューズ撮影装置
６                      カメラ
７                      撮影装置
８                      柱上変圧器
１５                    蓋
１５Ｃ                  隙間
３８                    ヒューズ
４１                    電柱
５０                    治具
５１                    挿入片
５２、５３              規制片
５４                    傾斜板
５５                    台
５６                    取付部材
５７                    支持棒
【図１】
2013176270.tif 000003
【図２】
2013176270.tif 000004
【図３】
2013176270.tif 000005
【図４】
2013176270.tif 000006
【図５】
2013176270.tif 000007
【図６】
2013176270.tif 000008
【図７】
2013176270.tif 000009
【図８】
2013176270.tif 000010
【図９】
2013176270.tif 000011